(57)【要約】【課題】簡単な構成で、スライドのガタつきを抑制するスライド機構を提供することを目的とする。【解決手段】本発明のスライド機構は、筒形状第１部材２０２と、筒形状第１部材２０２を相対移動可能に挿嵌する筒形状第２部材２０９と、筒形状第２部材２０９と嵌合する弾性保持部材２１２とからなるスライド機構であって、筒形状第２部材２０９は、スライド方向と並行なスリット部を有し、内周スライド面の寸法は筒形状第１部材２０２のスライド面の外周寸法より小さく、弾性保持部材２１２の反力によって筒形状第１部材２０２を保持することを特徴とする。【選択図】図３
2009267481.tif 000002
【特許請求の範囲】
【請求項１】
筒形状第１部材と、
前記筒形状第１部材を相対移動可能に挿嵌する筒形状第２部材と、
前記筒形状第２部材と嵌合する弾性保持部材とからなるスライド機構であって、
前記筒形状第２部材は、スライド方向と並行なスリット部を有し、内周スライド面の寸法は前記筒形状第１部材のスライド面の外周寸法より小さく、前記弾性保持部材の反力によって前記筒形状第１部材を保持するスライド機構。
【請求項２】
前記弾性保持部材は、両側部に案内孔部を有し、
前記案内孔部を通して前記筒形状第１部材を係止する案内部材を有する請求項１に記載のスライド機構。
【請求項３】
前記筒形状第１部材は、側部の一端に掛止部材を有し、
前記弾性保持部材は、前記筒形状第１部材の収納時、又は伸長時に、前記掛止部材が掛止する掛止部を有する請求項１または請求項２に記載のスライド機構。
【請求項４】
請求項１から請求項３の何れかに記載のスライド機構を有する撮像装置。
【発明の詳細な説明】
【技術分野】
【０００１】
本発明は、ビデオカメラやデジタルカメラといった撮像機器に取り付けられるファインダーを収納・伸長するスライド機構に関する。
【背景技術】
【０００２】
ビデオカメラ等の撮像機器において、機器を小型化しつつ、使用時にその操作性を向上させるため、持ち運び等の未使用時にはファインダーを格納し、撮影時のみにファインダーを伸長させて使用するスライド機構が必要である。
【０００３】
従来のスライド機構として、特許文献１に開示された技術がある。図６に、従来のスライド機構を示す。従来のスライド機構において、支持部材６は、スリットを有する両側面を有し、上面側には所定の間隔をおいて平行に一対のライン状に形成されたギヤ係合部を持つ。スライド部材７は、後述するスライド板のギヤ係合部と係合する一対のギヤ列が設置されている。スライド板は、スライド部材７の上面部内側に作られた間隙に挿入され、両側面のスリットには、スライド部材７の両側面に付属する軸が嵌合するようになっている。ファインダー本体８の装置本体側には、その下面側に、所定の間隔をおいて平行に一対のライン状に形成されたギヤ係合部を持つスライド板（Ａ部）を備えている。このスライド板のギヤ係合部は、スライド部材７のギヤ列と係合する。
【特許文献１】特開２０００−１３０５３３号公報
【発明の開示】
【発明が解決しようとする課題】
【０００４】
しかしながら、上記従来のスライド機構では、それを構成する部材間をガタなく、一体化するために、ギア構造を有し、スライド機構が複雑になるという課題があった。
【課題を解決するための手段】
【０００５】
本発明のスライド機構は、上記課題を解決するものであり、筒形状第１部材と、前記筒形状第１部材を相対移動可能に挿嵌する筒形状第２部材と、前記筒形状第２部材と嵌合する弾性保持部材とを有し、前記筒形状第２部材は、スライド方向と並行なスリット部を有し、内周スライド面の寸法は前記筒形状第１部材のスライド面の外周寸法より小さく、前記弾性保持部材の反力によって前記筒形状第１部材を保持することを特徴とする。
【発明の効果】
【０００６】
上記の構成によって、本発明のスライド機構は、簡単な構成で、スライド機構における部材間のガタつきを抑制することができる。
【発明を実施するための最良の形態】
【０００７】
以下、本発明のスライド機構に関する実施の形態について、図面を用いて詳細に説明する。
（実施の形態１）
図1は、本発明のスライド機構を備えた撮像装置の斜視図、図２はファインダーの分解斜視図、図３はファインダー組立て完成図、図４はファインダーを収納した状態、図５はファインダーを引き出した状態をそれぞれ示したものである。
【０００８】
図１に示すように、撮像装置１００は、装置本体内にレンズ１０１と、レンズ１０１を通して撮像した画像を表示する液晶モニタ１０２と、バッテリー１０３、及びファインダー２００から構成される。
【０００９】
ファインダー２００は図1に示すように、撮像装置１００の上面後部に配置されており、このファインダー２００はｘ軸方向に伸縮するスライド機構を備えている。図１に示されるタイプの撮像装置では、撮像装置背面に電源であるバッテリー１０３が配置されることが多く、ファインダー２００に目を添えて撮影を行う場合は、ファインダー２００を引き出し、バッテリー１０３の背面より突出させる必要がある。このため、ファインダー２００をx軸方向に伸縮可能にするスライド機構が設けられている。
【００１０】
図２は、本発明のスライド機構を有するファインダー２００の分解斜視図である。
【００１１】
図２において、ファインダー２００は、レンズの位置を調整できる機構を有する視度調整装置２０１と、画像データを視認化する液晶パネルなどを有する液晶表示装置２０５と、筒形状第２部材２０９と、弾性保持部材２１２とから構成される。
【００１２】
視度調整装置２０１は筒形状第１部材２０２と、筒形状第１部材２０２に固定されたアイカップ２０３と、液晶表示装置２０５に表示された映像を使用者の視力に合わせ、視認性を向上させるための、所定間隔で移動可能な拡大レンズ２０４とから成る。
【００１３】
液晶表示装置２０５は、内部に画像データを視認化する液晶パネルなどを有し、外部の両側面には、バネ性を有する掛止部材２０６が備わっている。掛止部材２０６には収納時、及び伸長時において収納状態、伸長状態を維持するための掛止突起２０７が備わっている。
【００１４】
筒形状第２部材２０９は、視度調整装置２０１と相対移動可能に挿嵌され、筒形状第２部材２０９の内面と、筒形状第１部材２０２の外面がスライド面となる。筒形状第２部材２０９は、相対移動方向と並行なスリット部を有し、内周スライド面の寸法は、筒形状第１部材２０２のスライド面の外周寸法より小さく形成されており、筒形状第２部材２０９の両側面には第1固定突起２１０ａ、第２固定突起２１０ｂが備わっている。
【００１５】
弾性保持部材２１２は、両側面に筒形状第２部材２０９と嵌合するための第1固定穴２１３ａと、第２固定穴２１３ｂと、相対移動方向と並行な案内孔２１４と、案内孔２１４とほぼ同じ長さの間隔に配置された第１掛止部２１５ａ、第２掛止部 ２１５ｂとを両側面に有する。
【００１６】
次に図３を用いて、本発明のスライド機構の組立てについて説明する。
【００１７】
図３に示すように、筒形状第２部材２０９は、弾性保持部材２１２に設けられた第1固定穴２１３ａ、第２固定穴２１３ｂに、筒形状第２部材２０９に設けられた第1固定突起２１０ａ、第２固定突起２１０ｂが各々嵌合することにより、弾性保持部材２１２に保持される。
【００１８】
次に視度調整装置２０１は、弾性保持部材２１２に保持された筒形状第２部材２０９に図３に示す方向から相対移動可能に挿嵌される。このとき、筒形状第２部材２０９の内周スライド面の寸法は、筒形状第１部材２０２のスライド面の外周寸法より小さく形成されているため、視度調整装置２０１は筒形状第２部材２０９を常に押し広げる状態で挿嵌されることになる。押し広げられた筒形状第２部材２０９は、嵌合している弾性保持部材２１２の反力によって、筒形状第１部材２０２を常に隙間なく、抑え込む。
【００１９】
このように、筒形状第２部材２０９が、弾性保持部材２１２の反力によって、筒形状第１部材２０２を常に隙間なく抑え込むことによって、筒形状第２部材２０９と筒形状第１部材２０２とのガタつきを抑制することができる。
【００２０】
最後に、液晶表示装置２０５は、図３に示すように、視度調整装置２０１と固定、結合され、一体化される。液晶表示装置２０５は、案内孔２１４を通して、液晶表示装置２０５に備えられているビス穴２０８にビス止めされ、弾性保持部材２１２と結合される。
【００２１】
上記のように組み合わせたスライド機構について、ファインダーの収納時および伸長時の動作について図４、図５を用いて説明する。
【００２２】
図４は、ファインダーが使用されず、収納された状態を示しており、収納時において、掛止突起２０７は第２掛止部２１５ｂに掛止しており、案内孔２１４を通して液晶表示装置２０５にビス結合しているビス２１６は、案内孔２１４の第２掛止部２１５ｂ側に位置している。
【００２３】
ビス２１６は、案内孔２１４を通して液晶表示装置２０５に結合しているため、ファインダーの収納および伸長に際して、ファインダーは案内孔２１４に沿って移動するため、移動に際してのガタつきを抑制することができる。
【００２４】
また、収納状態において掛止突起２０７が第２掛止部２１５ｂに、所定の力で掛止するため、ファインダーを使用するために伸長する場合、所定の力を負荷しないと移動しない。
【００２５】
これにより、収納状態において、ファインダーが簡単に、スライドしないようにすることができ、ファインダーを安定して保持することができる。一方、収納状態において、伸長方向と反対の方向に力を負荷させた場合、ビス２１６が案内孔２１４の第２掛止部２１５ｂ側に当り、移動規制されることになるため、収納状態よりも、さらにはファインダーを押し込むことはできない。
【００２６】
図５は、ファインダーを使用する場合の、伸長された状態を示しており、伸長時において、掛止突起２０７は第１掛止部２１５ａに掛止しており、案内孔２１４を通して液晶表示装置２０５にビス結合しているビス２１６は、案内孔２１４の第１掛止部２１５ａ側に位置している。このとき、収納状態と同様に、掛止突起２０７は第１掛止部２１５ａに、所定の力で掛止されているため、ファインダーを収納する場合、所定の力を負荷しないと移動しない。
【００２７】
これにより、伸長状態において、ファインダーが簡単に、スライドしないようにすることができる。一方、伸長状態で、さらに、伸長方向に力を負荷させた場合、ビス２１６が案内孔２１４の第１掛止部２１５ａ側に当り、移動規制されることになるため、伸長状態よりも、さらにはファインダーを引き出すことはできない。
【００２８】
上記のように、ファインダーのスライド長は、弾性保持部材２１２に設けられた案内孔２１４の長手方向の長さに依存し、案内孔２１４の長手方向の長さを調整することにより、各々の映像撮影装置に最適なスライド長を実現させることが可能となる。
【００２９】
また、掛止突起２０７が第２掛止部２１５ｂから外れ、収納状態から伸長状態になる間の状態では、バネ性を有する掛止部材２０６は弾性保持部材２１２の内面を撓んだ状態で移動し、伸長状態になる際には、掛止突起２０７が第１掛止部２１５ａに引き込まれることで、クリック感を発生し、掛止突起２０７は第１掛止部２１５ａに掛り止めされる。
【００３０】
同様に、掛止突起２０７が第１掛止部２１５ａから外れ、伸長状態から収納状態になる間の状態では、バネ性を有する掛止部材２０６は弾性保持部材２１２の内面を撓んだ状態で移動し、収納状態になる際には、掛止突起２０７が第２掛止部２１５ｂに引き込まれることで、クリック感を発生させ、掛止突起２０７は第１掛止部２１５ｂに掛り止めされる。
【００３１】
ファインダーのスライド、及び伸長時の上下左右のガタつきは、一般に、筒形状第１部材２０２のスライド面の外周寸法と、筒形状第２部材２０９の内周スライド面の寸法関係で決定される。
【００３２】
ここで、筒形状第２部材２０９がスリットを有せず、口状であるとすると、筒形状第１部材２０２のスライド面の外周寸法が、筒形状第２部材２０９の内周スライド面の寸法よりも小さくなれば、筒形状第１部材２０２のガタつきは大きくなる。一方、筒形状第１部材２０２のスライド面の外周寸法が、筒形状第２部材２０９の内周スライド面の寸法よりも大きくなれば、ガタつきは抑えられるものの、筒形状第１部材２０２が筒形状第２部材２０９に加圧入されるため、スライドの加重が増加してしまう。部品の仕上がりによっては、ガタつき、スライドの荷重にバラツキが生じ、後々の寸法調整が必要となる。
【００３３】
本発明のスライド機構では、筒形状第２部材２０９に、スライド方向と並行なスリット２１１を設け、内周スライド面の寸法を、前記筒形状第１部材２０２のスライド面の外周寸法より小さく構成することで、筒形状第１部材２０２は筒形状第２部材２０９を押し広げる状態で挿嵌される。押し広げられた筒形状第２部材２０９は、弾性保持部材２１２の反力により、筒形状第１部材２０２を常に、ある一定の力で密着、保持することになる。
【００３４】
なお、筒形状第２部材２０９が有するスリットの幅は特に限定されず、筒形状第２部材２０９の内周スライド面の寸法が、筒形状第１部材２０２のスライド面の外周寸法より小さくて、筒形状第１部材２０２が筒形状第２部材２０９を常に押し広げる状態で挿嵌される状態を維持できれば良く、筒形状第２部材２０９が略コの字の形状であっても良い。
【００３５】
以上より、簡単な構成でスライド、及び伸長時のガタつきを抑え、所定のスライド加重を得ることが出来る。
【産業上の利用可能性】
【００３６】
本発明のスライド機構によれば、ギア等の複雑な構造をとらずに、簡単な構成で、ガタつきを抑えることができ、ビデオカメラやデジタルカメラ等の撮像機器のファインダーの収納・伸長に用いることができ、有用である。
【図面の簡単な説明】
【００３７】
【図１】本発明の一実施の形態における映像撮影装置を示す斜視図
【図２】本発明の一実施の形態におけるファインダーの分解斜視図
【図３】本発明の一実施の形態におけるファインダー組立て完成図
【図４】本発明の一実施の形態におけるファインダーを収納した状態を示す図
【図５】本発明の一実施の形態におけるファインダーを引き出した状態を示す図
【図６】従来のスライド機構の分解斜視図
【符号の説明】
【００３８】
１００    撮像装置本体
１０１    レンズ
１０２    液晶モニタ
１０３    バッテリー
２００    ファインダー
２０１    視度調整装置
２０２    筒形状第１部材
２０３    アイカップ
２０４    拡大レンズ
２０５    液晶表示装置
２０６    掛止部材
２０７    掛止突起
２０８    ストッパー穴
２０９    筒形状第２部材
２１０ａ    第１固定突起
２１０ｂ    第２固定突起
２１１    スリット
２１２    弾性保持部材
２１３ａ    第１固定穴  
２１３ｂ    第２固定穴
２１４    案内孔
２１５ａ    第１掛止部
２１５ｂ    第２掛止部
２１６    ビス
【図１】
2009267481.tif 000003
【図２】
2009267481.tif 000004
【図３】
2009267481.tif 000005
【図４】
2009267481.tif 000006
【図５】
2009267481.tif 000007
【図６】
2009267481.tif 000008